(57)【要約】【課題】滅菌動作の途中で停電した場合は、蓋がロックされた状態に維持し、その状態で取っ手を引っ張って蓋を直ちに開くことができないように保持し、安全を確保した段階等、必要に応じて蓋のロックを解除して蓋を開くことができるような、ロック解除機構を備えた技術を提供する。【解決手段】蓋がチャンバーの開口を閉じた状態に一次的に保持するロック装置と、滅菌動作の途中に停電等により高圧蒸気滅菌器への電源供給が断たれたときロック装置が蓋の閉止状態を解除することを阻止するインターロック状態となるインターロック機構を備え、インターロック機構はインターロック解除工具によってインターロック解除状態となること。【選択図】図１０
2013102814.tif 000002
【特許請求の範囲】
【請求項１】
滅菌器本体内に設けたチャンバーと、前記チャンバーの開口を密閉状態に開閉する蓋と
、前記蓋がチャンバーの開口を閉じた状態に一次的に保持するロック装置と、滅菌動作の
途中に停電等により高圧蒸気滅菌器への電源供給が断たれたとき前記ロック装置が前記蓋
の閉止状態を解除することを阻止するインターロック状態となるインターロック機構を備
え、前記インターロック機構はインターロック解除工具によってインターロック解除状態
となることを特徴とする高圧蒸気滅菌器。
【請求項２】
前記ロック装置は手動にて前記蓋のロック状態と非ロック状態に操作可能であり、前記
インターロック機構は非通電状態にて前記ロック装置を前記ロック状態に維持し通電にて
前記ロック装置による前記蓋の閉止状態を解除操作可能とするアクチュエータを作動する
ソレノイド式であることを特徴とする請求項１に記載の高圧蒸気滅菌器。
【請求項３】
滅菌器本体内に設けたチャンバーと、前記チャンバーの開口を密閉状態に開閉する蓋と
、前記蓋がチャンバーの開口を閉じた状態に一次的に保持するロック装置と、前記蓋が閉
じた状態を検出する閉蓋検出スイッチと、前記蓋を閉じた状態に前記ロック装置が動作し
たことを検出するロック検出スイッチと、滅菌動作中に停電等により高圧蒸気滅菌器への
電源供給が断たれたとき及び前記滅菌動作中は前記ロック装置が前記蓋の閉止状態を解除
することを阻止するインターロック状態となるインターロック機構と、前記インターロッ
ク機構がインターロック状態になったことを検出するインターロック検出スイッチとを備
え、前記閉蓋検出スイッチと前記ロック検出スイッチの動作により高圧蒸気滅菌器が運転
開始可能状態となり、前記高圧蒸気滅菌器の運転を開始するスタートスイッチの操作に基
づき前記インターロック機構がインターロック状態に動作し、前記インターロック機構は
所期の滅菌動作の終了、及びインターロック解除工具によってインターロック解除状態と
なることを特徴とする高圧蒸気滅菌器。
【発明の詳細な説明】
【技術分野】
【０００１】
本発明は、主として病院等に設置して医療用器具等の被滅菌物を高圧蒸気下で滅菌する
ための高圧蒸気滅菌器に関する。
【背景技術】
【０００２】
高圧蒸気滅菌器の一つとして、滅菌器本体内に設けた前面開口のチャンバー４と、この
チャンバー４の上面開口を密閉する蓋５を備え、チャンバー４内に注水した水をヒータ３
６で蒸発させ、チャンバー４内に収納された被滅菌物を高圧蒸気下で滅菌する滅菌工程を
行なうものがある（特許文献１参照）。
【０００３】
この特許文献１の高圧蒸気滅菌器において、チャンバー４の開口と蓋５との間は環状パ
ッキン５Ａによってシールされており、蓋５がチャンバー４の開口を閉じることを検出す
る閉蓋検出スイッチ７を備え、電源スイッチＯＮの状態において、蓋５がチャンバー４の
開口を閉じた正規の閉蓋状態を、この閉蓋検出スイッチ７Ａ、７Ｂが検出した状態で条件
設定し、その状態でスタートキー３１ＥをＯＮすることにより、ソレノイド式ロック装置
２４のソレノイド２５がＯＮして、操作取っ手１２による蓋５を開くことができない状態
となる。
【先行技術文献】
【特許文献】
【０００４】
【特許文献１】特開２００８−０７３３９０号公報
【発明の概要】
【発明が解決しようとする課題】
【０００５】
高圧蒸気滅菌器では、滅菌動作中はチャンバー内に高圧蒸気が充満しているため、停電
等により高圧蒸気滅菌器への電源供給が断たれたとき蓋を開けると、その高圧蒸気が流出
して危険であるため、滅菌動作中に停電などにより高圧蒸気滅菌器への電源供給が断たれ
たときは、蓋を閉止状態に保持する機構を設けることが要求されている。
【０００６】
本発明はこのような点に鑑み、滅菌動作の途中に停電等により高圧蒸気滅菌器への電源
供給が断たれたときは、蓋が閉止された状態にロックし、その状態で取っ手を引っ張って
蓋を開けようとしても開くことができないように保持し、安全を確保した段階等、必要に
応じて蓋のロックを解除して蓋を開くことができるような、ロック解除機構を備えた技術
を提供するものである。
【０００７】
このため、本発明では、蓋がチャンバーの開口を閉じた状態に一次的に保持するロック
装置を設け、このロック装置により蓋が閉止状態に保持され、この閉止状態をインターロ
ック機構によって保持して滅菌モードが開始する構成とし、滅菌動作中に停電したとき、
インターロック機構によるインターロック状態を継続し、そのインターロック状態の解除
は、インターロック解除工具によって行なうことができるものとする。
【課題を解決するための手段】
【０００８】
第１発明の高圧蒸気滅菌器は、滅菌器本体内に設けたチャンバーと、前記チャンバーの
開口を密閉状態に開閉する蓋と、前記蓋がチャンバーの開口を閉じた状態に一次的に保持
するロック状態となるロック装置と、滅菌動作の途中に停電等により高圧蒸気滅菌器への
電源供給が断たれたとき前記ロック装置が前記蓋の閉止状態を解除することを阻止するイ
ンターロック状態となるインターロック機構を備え、前記インターロック機構はインター
ロック解除工具によってインターロック解除状態となることを特徴とする。
【０００９】
第２発明の高圧蒸気滅菌器は、第１発明において、前記ロック装置は手動にて前記蓋の
ロック状態と非ロック状態に操作可能であり、前記インターロック機構は非通電状態にて
前記ロック装置を前記ロック状態に維持し通電にて前記ロック装置による前記蓋の閉止状
態を解除操作可能とするアクチュエータを作動するソレノイド式であることを特徴とする
。
【００１０】
第３発明の高圧蒸気滅菌器は、滅菌器本体内に設けたチャンバーと、前記チャンバーの
開口を密閉状態に開閉する蓋と、前記蓋がチャンバーの開口を閉じた状態に一次的に保持
するロック装置と、前記蓋が閉じた状態を検出する閉蓋検出スイッチと、前記蓋を閉じた
状態に前記ロック装置が動作したことを検出するロック検出スイッチと、滅菌動作中に停
電等により高圧蒸気滅菌器への電源供給が断たれたとき及び前記滅菌動作中は前記ロック
装置が前記蓋の閉止状態を解除することを阻止するインターロック状態となるインターロ
ック機構と、前記インターロック機構がインターロック状態になったことを検出するイン
ターロック検出スイッチとを備え、前記閉蓋検出スイッチと前記ロック検出スイッチの動
作により高圧蒸気滅菌器が運転開始可能状態となり、前記高圧蒸気滅菌器の運転を開始す
るスタートスイッチの操作に基づき前記インターロック機構がインターロック状態に動作
し、前記インターロック機構は所期の滅菌動作の終了、及びインターロック解除工具によ
ってインターロック解除状態となることを特徴とする。
【発明の効果】
【００１１】
第１発明では、滅菌動作の途中に停電等により高圧蒸気滅菌器への電源供給が断たれた
とき、ロック装置が蓋の閉止状態を解除することを阻止するインターロック状態になるた
め、停電等の際に蓋を開いたときの危険を防止できる。また、このインターロック状態は
、特別なインターロック解除工具によって解除状態となるため、安全を確保した段階等、
必要に応じてインターロックを解除して蓋を開くことができるものとなる。
【００１２】
第２発明では、インターロック機構は非通電状態にてロック装置をロック状態に維持し
、通電にてロック装置を非ロック状態に作動可能とするアクチュエータを作動するソレノ
イド式であるため、滅菌動作の途中に停電等により高圧蒸気滅菌器への電源供給が断たれ
たとき、ロック装置が蓋の閉止状態を解除することを阻止するインターロック状態になる
ため、停電等の際に蓋を開いたときの危険を防止できる。そして、ロック装置が手動にて
蓋のロック状態と非ロック状態に操作可能な構成の場合も、安定したインターロック動作
を得ることができる。また、このインターロック状態は、特別なインターロック解除工具
によって解除状態となるため、安全を確保した段階等、必要に応じてインターロックを解
除して蓋を開くことができるものとなる。
【００１３】
第３発明は、各スイッチの検出状態によって、ロック装置によるロック状態と、そのロ
ック状態をインターロック機構によってインターロックされている状態において、安定し
た滅菌動作が行なわれるものとなる。そして、滅菌動作の途中に停電等により高圧蒸気滅
菌器への電源供給が断たれたとき、ロック装置が蓋の閉止状態を解除することを阻止する
インターロック状態になるため、停電等の際に蓋を開いたときの危険を防止できる。また
、このインターロック状態は、特別なインターロック解除工具によって解除状態となるた
め、安全を確保した段階等、必要に応じてインターロックを解除して蓋を開くことができ
るものとなる。
【図面の簡単な説明】
【００１４】
【図１】本発明に係る高圧蒸気滅菌器の正面斜視図である。
【図２】本発明に係る高圧蒸気滅菌器の蓋を開いた正面斜視図である。
【図３】本発明に係る高圧蒸気滅菌器の操作パネルの説明図である。
【図４】本発明に係る高圧蒸気蒸気滅菌器の蓋が閉じる前の閉蓋検出スイッチに係る動作状態の説明図であり、（イ）は蓋側の作動部の状態図であり、（ロ）は滅菌器本体側のスライドピースの状態図である。
【図５】本発明に係る高圧蒸気滅菌器の蓋が正規閉蓋状態に閉じた状態の閉蓋検出スイッチに係る動作状態の説明図である。
【図６】本発明に係る高圧蒸気滅菌器の蓋が閉じてロック装置がロック状態に作動する前の状態の説明図である。
【図７】本発明に係る高圧蒸気滅菌器の蓋が閉じてロック装置がロック状態に作動した状態の説明図である。
【図８】本発明に係る高圧蒸気滅菌器の蓋が閉じてインターロック機構がインターロック状態になっている状態の説明図である。
【図９】本発明に係る高圧蒸気滅菌器のインターロック機構に対してインターロック解除工具が差し込まれる状態を示す図である。
【図１０】本発明に係るインターロック解除工具によってインターロック機構がインターロック解除状態となった状態を示す図である。
【発明を実施するための形態】
【００１５】
本発明に係る高圧蒸気滅菌器は、滅菌器本体内に設けたチャンバーと、前記チャンバー
の開口を密閉状態に開閉する蓋と、前記蓋がチャンバーの開口を閉じた状態に一次的に保
持するロック装置と、滅菌動作の途中に停電等により高圧蒸気滅菌器への電源供給が断た
れたとき前記ロック装置が前記蓋の閉止状態を解除することを阻止するインターロック状
態となるインターロック機構を備え、前記インターロック機構はインターロック解除工具
によってインターロック解除状態となる構成であり、以下にその好ましい実施例を記載す
る。
【実施例１】
【００１６】
本発明に係る高圧蒸気滅菌器ＭＫは、主として病院等に設置して医療用器具等の被滅菌
物を高圧蒸気下で滅菌するためのものであり、その代表的なものとして、図１及び図２に
示すように、前面開口２を形成した円筒状のチャンバー４を備え、この前面開口２を蓋７
によって開閉自在に閉塞する横型形態の高圧蒸気滅菌器ＭＫである。以下、本発明に係る
横型形態の高圧蒸気滅菌器ＭＫの実施例を図に基づき説明する。
【００１７】
１は高圧蒸気滅菌器ＭＫの滅菌器本体であり、内部に医療用器具等の被滅菌物を載せる
棚６を備えた前面開口２を形成した円筒状の横型チャンバー４を収納配置している。チャ
ンバー４の前面開口２は、滅菌器本体１の左右いずれか一方側（図１及び図２では左側）
に設けたヒンジ機構の蓋支持部５にて回動可能に支持された蓋７で密閉される。このため
、蓋７の裏側には、蓋７が正規状態に閉じられた状態で、チャンバー４の前面開口２の周
縁部に圧縮状態で密着する環状パッキン８を備えている。
【００１８】
滅菌器本体１の前面部の蓋７の一側方（図では右側）に配置した操作パネル３には、図
３に示すように、高圧蒸気滅菌器ＭＫの動作条件や動作モードを設定する設定部３１と、
動作条件や動作モードを表示する表示部３２と、電源スイッチＳＷ等を配置している。設
定部３１には、時刻設定部３１Ａ、予約設定部３１Ｂ、滅菌温度設定部３１Ｃ、滅菌時間
設定部３１Ｄ、乾燥時間設定部３１Ｅ、スタートキー（またはスタートボタンと称し、ス
タートスイッチの操作部である）３９、ストップキー４０、温度や時間や時刻の設定値の
アップダウン部３１Ｇ、完了予定キー４１等を配置している。表示部３２は、温度や時刻
等の表示部３２Ａと、圧力計３２Ｂと、プロセス表示部３２Ｃ、蓋７のロック状態表示部
３２Ｄ等を備えている。
【００１９】
閉蓋検出スイッチ１０と、それを作動する構成について説明する。図２に示すように、
閉蓋検出スイッチ１０は、開口２に対して蓋支持部５の反対側（図１及び図２では右側）
の上部に配置され、滅菌器本体１の前面板１Ａの裏側に取り付けられている。閉蓋検出ス
イッチ１０は、図４等に示すように、閉蓋検出スイッチ１０のケース１０Ａの内部に備え
た接点を開閉するためのアクチュエータ１１と、アクチュエータ１１を作動するためにケ
ース１０Ａに支点部１２Ａが支持されたバネ性作動レバー１２を備えている。バネ性作動
レバー１２は、板状バネ材で構成されている。
【００２０】
また、バネ性作動レバー１２によって前方へ向かって付勢されるように、滅菌器本体１
の前面板１Ａを貫通状態に取り付けた筒状の支持体１４内に前後方向にスライド可能にス
ライドピース１３が設けられている。スライドピース１３の後部には、支持体１４の後部
のストッパー部１４Ａに係止する係止部１３Ａが形成されており、スライドピース１３は
、その後端部１３Ｐがバネ性作動レバー１２に当接して前方へ付勢され、ストッパー部１
４Ａに係止部１３Ａが当接したとき、滅菌器本体１の前面板１Ａから前方へ突出する最大
長さが制限される。
【００２１】
蓋７には、スライドピース１３に対応する位置に、コイル状の第１付勢バネ１６によっ
て蓋７の裏側方向へ突出状態に付勢されるように、蓋７の裏板７Ａを貫通状態に取り付け
た筒状の支持体１７内に前後方向にスライド可能に作動部１５が設けられている。このた
め、コイル状の第１付勢バネ１６は、作動部１５内に収容されていて、その先端は作動部
１５の先端壁に当接し、後端は支持体１７と一体形成または別体形成の保持部１８によっ
て支持された状態であり、若干圧縮された状態で作動部１５内に収容されている。作動部
１５の後部には、支持体１７の後部のストッパー部１７Ａに係止する係止部１５Ａが形成
されており、作動部１５は、第１付勢バネ１６によって蓋７の裏側方向へ付勢されるとき
、ストッパー部１７Ａに係止部１５Ａが当接したとき、蓋７の裏板７Ａから後方へ突出す
る最大長さが制限される。図４（イ）（ロ）は蓋７が開口２を開いている状態であり、第
１付勢バネ１６もバネ性作動レバー１２も初期状態である。即ち、上記のように、第１付
勢バネ１６は若干圧縮された状態で作動部１５内に収容されているため、作動部１５が蓋
７の裏板７Ａから後方へ最大長さで突出しており、バネ性作動レバー１２によってスライ
ドピース１３が前方へ押されて、スライドピース１３が前面板１Ａから前方へ最大長さで
突出している。
【００２２】
上記の構成において、蓋７を閉めて行くことにより、作動部１５の先端がスライドピー
ス１３の先端を押しつつ、作動部１５がスライドピース１３を介してバネ性作動レバー１
２を押し圧にて更に後方へ押し、スライドピース１３を更に後退させ、バネ性作動レバー
１２がアクチュエータ１１を最も押し込んだ状態に達する。この状態では、スライドピー
ス１３を介して作動部１５を後退させる作用が働くことにより、第１付勢バネ１６がそれ
によって押し圧にて圧縮される。この状態を図５に示す。この状態は蓋７が開口２を正規
の閉止状態に閉じた正規閉蓋状態であり、この正規閉蓋状態では、環状パッキン８は、チ
ャンバー４の前面開口２の周縁部に強く当接して正規の圧縮状態で密着し、チャンバー４
を蓋７によって閉じた正規閉蓋状態である。この状態で閉蓋検出スイッチ１０はその接点
が閉じたＯＮ状態となる。
【００２３】
開口２に対して蓋支持部５の反対側（図１及び図２では右側）の中間位置には、滅菌器
本体１の前面板１Ａの表側に本体側ロック部材１９が突出状態に設けられている。蓋７に
は、本体側ロック部材１９に対応する位置にロック装置２０が設けられている。ロック装
置２０は、本体側ロック部材１９が蓋７の裏板７Ａに形成した通口７Ｂを通して進入する
蓋側ロック部材２１と、ロック棒２２と、スイッチ作動体２３を備えている。ロック装置
２０は蓋７の前面に設けた取っ手９によってロック状態への操作と、ロック解除状態への
操作が可能となる構成である。
【００２４】
蓋側ロック部材２１は蓋７に固定されており、蓋側ロック部材２１には、本体側ロック
部材１９の進入路を外れた位置において、上下方向に垂直状態にガイド棒２６Ａが取り付
けられている。動作の安定化のためにガイド棒２６Ａは、本体側ロック部材１９の進入路
の左右両側にガイド棒２６Ａ、２６Ａを配置した構成である。そして、ガイド棒２６Ａに
はコ字形の支持板２５の上下辺２５Ａ、２５Ｂが上下スライド可能に挿通され、支持板２
５の上辺２５Ａには下方へ垂下するようにロック棒２２が取り付けられている。また、支
持板２５の下辺２５Ｂにスイッチ作動体２３が取り付けられている。支持板２５は取っ手
９に固定されており、これによって、取っ手９の上下動に伴って、ガイド棒２６Ａに案内
されて支持板２５と共にロック棒２２が上下動可能である。
【００２５】
ロック装置２０のロック棒２２及び支持板２５は、取っ手９を上昇させることに伴って
ガイド棒２６Ａを案内として上昇し、その状態で蓋７を閉めることにより、ロック棒２２
と一体に作動する作動体２３が、滅菌器本体１の前面板１Ａの縦方向の長孔１Ｂを貫通し
て滅菌器本体１内に進入した状態となる。これと共に、図６に示すように蓋側ロック部材
２１に本体側ロック部材１９が進入する状態となる。この状態で取っ手９を下降させるこ
とに伴って、ロック棒２２及び支持板２５はガイド棒２６Ａを案内として下降し、ロック
棒２２が本体側ロック部材１９と蓋側ロック部材２１の孔に進入してロック状態（ロック
位置）となる。この状態が、蓋７が正規閉蓋状態に閉じられた状態であり、蓋７によって
閉蓋検出スイッチ１０がＯＮ状態になると共に、作動体２３によってロック検出スイッチ
２４がＯＮ状態となる（図７に示す）。
【００２６】
なお、このロック位置から取っ手９を上昇させることによってロック棒２２が本体側ロ
ック部材１９と蓋側ロック部材２１の孔から上方へ脱出して、非ロック位置となる。
【００２７】
インターロック機構３０は、図６乃至図１０に示すように滅菌器本体１の前面板１Ａの
裏側に設けたソレノイド３２と、アクチュエータ３３と、コイルバネ３４を備えている。
板状のインターロック解除部材３８は、後述のように手動にてインターロック状態を解除
するためのものである。このソレノイド３２への非通電状態ではコイルバネ３４によって
アクチュエータ３３が作動体２３の上方に進出し、作動体２３の上昇（復帰）を阻止して
ロック装置２０が蓋７をロック状態に維持するロック維持状態（インターロック状態）と
なり、この状態でインターロック検出スイッチ３５のバネ性作動レバー３５Ａを押すため
、インターロック検出スイッチ３５がＯＮ作動する。またソレノイド３２への通電にてコ
イルバネ３４を圧縮するようにアクチュエータ３３が作動し、作動体２３の移動通路（作
動体２３が上下動する移動通路）から退避し、作動体２３の上昇（復帰）を許可して前記
ロック維持状態を解除する非ロック維持位置となり、インターロック検出スイッチ３５が
ＯＦＦ状態に作動する。
【００２８】
チャンバー４内に被滅菌物を収納し、蓋７を閉じて蓋７がチャンバー４の前面開口２を
密閉した状態において、高圧蒸気滅菌器ＭＫを運転して、チャンバー４内を高温高圧状態
とし、被滅菌物の滅菌が行なわれる。この被滅菌物の一連の滅菌動作について述べること
とする。滅菌動作の操作に際しては、先ず、電源スイッチＳＷをオン（ＯＮ）操作するこ
とにより、スタンバイ状態となる。この状態でインターロック機構３０のソレノイド３２
は通電され励磁状態となり、アクチュエータ３３は、バネ３４に抗して作動体２３の移動
通路（上下方向通路）から外れるように図８に示す矢印Ｙ方向へ退避し、非インターロッ
ク位置となる。
【００２９】
蓋７を開いて開口２よりチャンバー４内にヒータ６Ａを覆う棚６を構成するヒータカバ
ー６の上などに被滅菌物をセットし、蓋７を閉じる。この状態を保持するために、上記の
ように、蓋７の取っ手９を操作してロック装置２０によって蓋７をロック状態（ロック位
置）とする。この状態で、上記のように蓋７が閉じたことは閉蓋検出スイッチ１０のＯＮ
動作によって検出され、ロック装置２０によって蓋７がロックされた状態は、作動体２３
によってロック検出スイッチ２４がＯＮ状態となることによって検出される。
【００３０】
このような動作によって達成される閉蓋検出スイッチ１０のＯＮ状態とロック検出スイ
ッチ２４のＯＮ状態のアンド（乗算動作）により、高圧蒸気滅菌器ＭＫが運転開始可能状
態となる。この状態において、操作パネル３の表示部３２を確認しつつ設定部３１によっ
て所期の設定を行なう。このような操作によって、スタンバイ状態での準備が終わる。こ
の準備が終わったスタンバイ状態で、スタートキー３９のオン（ＯＮ）操作に基づき制御
部の動作によって、ロック装置２０による蓋７のロック状態を維持するようにインターロ
ック機構３０が動作する。
【００３１】
即ち、スタートキー３９のオン（ＯＮ）操作に基づきインターロック機構３０のソレノ
イド３２は非通電となって非励磁状態となり、図８に示すように、アクチュエータ３３は
バネ３４によって矢印Ｙ方向とは反対方向へ突出し、作動体２３の真上となるように移動
通路（上下方向通路）へ突出する。このため、取っ手９を上方へ操作しても作動体２３が
上方へ移動できず、蓋７のロック状態が維持されたインターロック状態を維持する。そし
て、この状態でアクチュエータ３３の先端がインターロック検出スイッチ３５のバネ性作
動レバー３５Ａを押すため、インターロック検出スイッチ３５をＯＮ作動する。この状態
によって蓋７のロック状態表示部３２Ｄが発光すると共に、所期の滅菌モード（所期の滅
菌動作）が開始する。
【００３２】
所期の滅菌モード（所期の滅菌動作）が開始することにより、チャンバー４内に所定量
の水が注入され、その水がチャンバー４内底部に配置したヒータ６Ａにより加熱蒸発し、
チャンバー４内を所定温度に維持しつつ、被滅菌物の滅菌工程が制御部（図示せず）の動
作によって所定時間行なわれ、滅菌工程の終了後、チャンバー４内の排気乾燥工程を経て
、所期の滅菌モード（所期の滅菌動作）が終了する。
【００３３】
制御部（図示せず）の動作によって所期の滅菌モード（所期の滅菌動作）が終了したと
き、インターロック機構３０のソレノイド３２は通電され励磁状態となり、アクチュエー
タ３３は、バネ３４に抗して作動体２３の移動通路（上下方向通路）から外れるように図
８に示す矢印Ｙ方向へ退避して非インターロック位置となる。このようにインターロック
機構３０によるインターロック状態が解除された状態で、取っ手９を上方へ引き上げる操
作によって、取っ手９と共にロック棒２２が本体側ロック部材１９と蓋側ロック部材２１
の孔から上方へ脱出して、非ロック位置となる。この状態で取っ手９を引いて蓋７を開く
ことができ、被滅菌物を取り出すことができる。
【００３４】
上記では、ロック装置２０のロック棒２２及び支持板２５の上下動は、取っ手９の操作
に伴う手動式であるが、蓋７を閉じたときに閉蓋検出スイッチ１０がＯＮ作動することに
よってソレノイドに通電し、それによってロック棒２２及び支持板２５が下降し、このソ
レノイドの非通電によってロック棒２２及び支持板２５が上昇する構成とするソレノイド
方式とすることも可能である。
【００３５】
上記のように、滅菌モードが開始して行われる所期の滅菌モード（所期の滅菌動作）の
動作中はインターロック状態であるが、この状態において停電した場合は、インターロッ
ク機構３０のソレノイド３２は非通電状態となる。ソレノイド３２の非通電によって、図
８に示すようにアクチュエータ３３が作動体２３の上昇を阻止し、蓋７が開くことを阻止
するインターロック状態を維持した状態であり、取っ手９を引いても蓋７を開くことがで
きない。このため、チャンバー４内の高圧蒸気が漏れ出すことはなく安全である。
【００３６】
このインターロック状態を強制的に手動解除するためには、図８に矢印Ｙで示すように
、コイルバネ３４に抗してアクチュエータ３３を左方へ移動させて、作動体２３の真上位
置から外れる位置まで退避させればよい。このため、手動にて強制的にコイルバネ３４に
抗してアクチュエータ３３が作動体２３の真上位置から外れるように、図８で示す矢印Ｙ
のように左方へ移動させ退避させればインターロックが解除される。
【００３７】
高圧蒸気滅菌器ＭＫが停電したとき、インターロックを解除するために、インターロッ
ク解除部材３８が設けられている。インターロック解除部材３８は、孔３８Ａをアクチュ
エータ３３が貫通状態であるため、上記のように手動にて強制的にコイルバネ３４に抗し
てアクチュエータ３３を退避させるためには、高圧蒸気滅菌器ＭＫの正面側から特殊なイ
ンターロック解除工具５０を用いて、インターロック解除部材３８を図１０で反時計回り
に回動させることにより、インターロック解除部材３８がアクチュエータ３３の鍔部３３
Ａを図８に矢印Ｙで示す方向へ押すように動作し、アクチュエータ３３がコイルバネ３４
に抗して左方へ移動させられ、作動体２３の真上位置から外れる位置まで退避させること
ができる。
【００３８】
図９はインターロック機構３０に対してインターロック解除工具５０が差し込まれる状
態を示す。図１０はインターロック解除工具５０によってインターロック機構３０がイン
ターロック解除状態となった状態を示す。インターロック解除部材３８は、滅菌器本体１
の前面板１Ａの裏側で固定部材に軸支持部３６に回動可能に支持されており、通常状態で
は付勢バネ３７または重量バランスによって図８及び図９のように垂直状態に保たれてい
る。滅菌器本体１の前面板１Ａの裏側で固定部材５２によって、板状のインターロック解
除工具５０の挿入部５１が、蓋７の下側空間を通して滅菌器本体１の前面に開口するよう
に、滅菌器本体１の底部に形成されている。挿入部５１はインターロック解除工具５０の
幅Ｓ１と板厚Ｔ１よりも若干大きい幅Ｓ２と厚さＴ２に形成されている。インターロック
解除工具５０を板状に形成したのは、他の部材を挿入し難くするためである。
【００３９】
インターロック解除部材３８は、通常状態では図８及び図９のように垂直状態に保たれ
ており、その下端部は挿入部５１の上壁に形成したスリット状の開口５３を通して挿入部
５１内に進入した状態に保たれている。インターロック解除工具５０には、その挿入先端
部の一側に、先端に向けて傾斜した作用部５０Ａが形成されている。
【００４０】
インターロック状態において、高圧蒸気滅菌器ＭＫが停電したときは、ソレノイド３２
は非通電状態であるため、図８及び図９に示すように、アクチュエータ３３が作動体２３
の上昇を阻止し、蓋７が開くことを阻止するインターロック状態を維持した状態である。
この状態において、インターロック解除部材３８の下端部は挿入部５１内に進入した状態
であるため、挿入部５１へインターロック解除工具５０の挿入先端部を挿入することによ
り、傾斜した作用部５０Ａがインターロック解除部材３８の下端部をインターロック解除
方向へ押す。インターロック解除方向は、アクチュエータ３３が作動体２３の真上位置か
ら外れる位置まで退避する方向である。
【００４１】
即ち、蓋７の下側空間を通して挿入部５１へインターロック解除工具５０の挿入先端部
を挿入することにより、傾斜した作用部５０Ａがインターロック解除部材３８の下端部３
８Ｐを図８及び図９において、反時計回りに回動させることにより、インターロック解除
部材３８がアクチュエータ３３の鍔部３３Ａを図８に矢印Ｙで示す方向へ押すように動作
し、図１０に示すように、アクチュエータ３３がコイルバネ３４に抗して矢印Ｙ方向へ移
動させられ、作動体２３の真上位置から外れる位置まで退避される。これによって、イン
ターロックが解除される。このインターロックの解除状態において、取っ手９を上方へ引
き上げる操作によって、取っ手９と共にロック棒２２が本体側ロック部材１９と蓋側ロッ
ク部材２１の孔から上方へ脱出して、非ロック位置となる。この状態で取っ手９を引いて
蓋７を開くことができ、被滅菌物を取り出すことができる。
【産業上の利用可能性】
【００４２】
本発明に係る高圧蒸気滅菌器は、本発明の技術的範囲を逸脱しない範囲での変更形態は
、本発明の範囲であり、上記実施例に示した構成に限定されず、上記同様の作用をするこ
とができる高圧蒸気滅菌器の範囲において種々の形態を包含するものである。
【符号の説明】
【００４３】
１・・・・滅菌器本体
２・・・・前面開口
３・・・・操作パネル
４・・・・チャンバー
５・・・・蓋支持部
６・・・・ヒータカバー
６Ａ・・・ヒータ
７・・・・・蓋
８・・・・環状パッキン
１０・・・閉蓋検出スイッチ
１１・・・閉蓋検出スイッチのアクチュエータ
１２・・・バネ性作動レバー
１３・・・スライドピース
１３Ａ・・係止部
１４・・・筒状の支持体
１４Ａ・・ストッパー部
１５・・・作動部
１５Ａ・・係止部
１６・・・コイル状の第１付勢バネ
１７・・・支持体
１７Ａ・・ストッパー部
１８・・・保持部
１９・・・本体側ロック部材
２０・・・ロック装置
２１・・・蓋側ロック部材
２２・・・ロック棒
２３・・・作動体
２４・・・バネ性作動レバー
２５・・・支持板
２６Ａ・・ガイド棒
３０・・・インターロック機構
３２・・・ソレノイド
３３・・・アクチュエータ
３５・・・インターロック検出スイッチ
３６・・・軸支持部
３７・・・付勢バネ
３８・・・インターロック解除部材
５０・・・インターロック解除工具
５０Ａ・・作用部
５１・・・挿入部
５２・・・固定部材
５３・・・スリット状の開口
ＭＫ・・・高圧蒸気滅菌器
【図１】
2013102814.tif 000003
【図２】
2013102814.tif 000004
【図３】
2013102814.tif 000005
【図４】
2013102814.tif 000006
【図５】
2013102814.tif 000007
【図６】
2013102814.tif 000008
【図７】
2013102814.tif 000009
【図８】
2013102814.tif 000010
【図９】
2013102814.tif 000011
【図１０】
2013102814.tif 000012